(57)【要約】【課題】  視聴者に負担を要することなく番組に対する質問を可能とし、その回答を迅速に得るために専用のテレビを使用することなく安価に実現する。【解決手段】  チャンネルリモコン機能を持つ携帯電話端末１によりチャンネル指定が行われ、そのチャンネル情報がコンテンツサーバ３に通知される。携帯電話端末１は、コンテンツサーバ３によって送信されるメッセージ入力画面情報に基づき質問メッセージを送信する。コンテンツサーバ３は、この質問メッセージを回答者に送信するとともに回答メッセージを取り込み、先の質問と回答のメッセージの組から成る放送用メッセージを生成し、放送システム４にこの放送メッセージを送信して本来の映像と合成して放映させる。【選択図】      図１
2005333366.tif 000002
【特許請求の範囲】
【請求項１】
番組を放送する放送システムと通信ネットワークを介して接続される放送コンテンツ作成装置であって、
前記放送システムによる番組放映中、視聴者から携帯電話端末を用いた質問メッセージを受信し、当該質問メッセージを所定の回答者の情報端末に送信して回答メッセージを受信し、前記質問・回答メッセージの組を生成する放送用メッセージ作成管理部と、
前記生成された質問・回答メッセージの組を、前記放送番組に合成して放送させるために前記放送システムへ送信する放送用メッセージ送信部と、
を具備することを特徴とする放送コンテンツ作成装置。
【請求項２】
前記視聴者が所有する携帯電話端末を操作することにより生成されるチャンネル情報を受信するチャンネル情報受信部と、
前記質問、回答を行う視聴者が所有する各携帯電話端末に対し、前記チャンネル情報に対応したメッセージ入力画面を送信するメッセージ入力画面情報送信部とを更に備え、
前記放送用メッセージ作成管理部は、前記メッセージ入力画面を介して入力される質問、回答メッセージを受信して前記質問に対する回答メッセージを組立てる放送用メッセージを生成することを特徴とする請求項１に記載の放送コンテンツ作成装置。
【請求項３】
放映されている放送番組に対して発生する質問、回答メッセージ取り込み、放送用の映像に合成させるためのコンテンツを作成するコンテンツ作成装置と通信ネットワークを介して接続される携帯電話端末であって、
視聴者からのチャンネル指示を受付け、テレビ受像機に対してそのチャンネル用信号を出力するとともに、そのチャンネル情報を前記放送メッセージ作成装置へ送信するチャンネル情報送信部と、
前記放送メッセージ作成装置が前記チャンネル情報に基づき生成するメッセージ入力画面情報を受信し、質問に必要なメッセージを取り込み、前記放送メッセージ作成装置にメッセージ送信するメッセージ送信部と、
を具備することを特徴とする携帯電話端末。
【請求項４】
放映されている放送番組に対して発生する質問、回答のメッセージを交換する放送メッセージ交換システムであって、
視聴者からのチャンネル指示を受付け、テレビ受像機に対してそのチャンネル用信号を出力するとともに、そのチャンネル情報をメッセージ作成装置へ送信する視聴者の携帯電話端末と
前記携帯電話端末とは通信ネットワークを介して接続され、番組放映中、視聴者から前記携帯電話端末による質問メッセージを受信し、当該メッセージを所定の回答者の情報端末に送信して回答メッセージを受信し、前記質問・回答メッセージの組を作成して放送システムに送信する放送メッセージ作成装置と、
前記放映されている放送番組に、前記放送メッセージ作成装置から受信した前記質問・回答メッセージの組を合成して放送する前記放送システムと、
を具備することを特徴とする放送メッセージ交換システム。
【請求項５】
放映されている放送番組に対して発生する質問、回答メッセージを交換する放送メッセージ交換方法であって、
前記携帯電話端末により視聴者からのチャンネル指示を受付け、そのチャンネル情報を前記携帯電話端末とは通信ネットワークを介して接続されるメッセージ作成装置へ送信するステップと、
番組放映中、視聴者から前記携帯電話端末による質問メッセージを受信し、当該メッセージを他の視聴者の情報端末がに送信して回答メッセージを受信するステップと、
前記質問・回答メッセージの組を作成して放送システムに送信するステップと、
前記放映されている放送番組に、前記メッセージ作成装置から受信した前記質問・回答メッセージの組を合成して放送するステップと、
を有することを特徴とする放送メッセージ交換方法。
【請求項６】
放送システムによって放映されている放送番組に対して発生する質問、回答メッセージを取り込み、放送用の映像に合成させるためのコンテンツを生成する放送コンテンツ作成方法であって、
番組放映中、視聴者から携帯電話端末による質問メッセージを受信し、当該メッセージを所定の回答者の情報端末に送信して回答メッセージを得、前記質問・回答メッセージの組を生成するステップと、
前記生成された質問・回答メッセージの組を、前記放送番組に合成して放送させるために前記放送システムへ送信するステップと、
を有することを特徴とする放送コンテンツ作成方法。
【請求項７】
番組を放映する放送システムと通信ネットワークを介して接続される放送コンテンツ作成装置に用いられるプログラムであって、
番組放映中、視聴者から携帯電話端末による質問メッセージを受信し、当該メッセージを所定の回答者の情報端末に送信して回答メッセージを得、前記質問・回答メッセージの組を生成する処理と、
前記生成された質問・回答メッセージの組を、前記放送番組に合成して放送させるために前記放送システムへ送信する処理と、
をコンピュータに実行させるプログラム。
【請求項８】
番組を放映する放送システムと通信ネットワークを介して接続される放送コンテンツ作成装置に用いられるプログラムを記録したコンピュータ読み取り可能な記録媒体であって、
番組放映中、視聴者から携帯電話端末による質問メッセージを受信し、当該メッセージを所定の回答者の情報端末に送信して回答メッセージを得、前記質問・回答メッセージの組を生成する処理と、
前記生成された質問・回答メッセージの組を、前記放送番組に合成して放送させるために前記放送システムへ送信する処理と、
をコンピュータに実行させるプログラムを記録した記録媒体。
【発明の詳細な説明】
【技術分野】
【０００１】
本発明は、放送番組に関連して発生する質問、回答のメッセージを視聴者が持つ携帯電話端末を介して交換する、放送コンテンツ作成装置およびその方法、ならびにプログラム、記録媒体、放送メッセージ交換システムおよびその方法に関する。
【背景技術】
【０００２】
視聴者が番組視聴中、特に、教育番組においては、先生に疑問点について質問したいことがある。この場合、例えば、電話により、あるいはファクシミリにより質問が行われる。また、最近では携帯電話端末の普及により、メールを使用した質問も増えてきた。このため、質問のための手間を要し、また、回答が得られるまでに相当の時間を要していた。
一方、近年のＩＴ技術の進歩により、視聴者が番組を見ながらその内容に関して他の視聴者とインターネットを介してチャットを楽しむＴＶチャットシステムが出現し、また、そのための特許出願もなされている（例えば、特許文献１参照）。
【特許文献１】特開２００３−３４５７２９号公報
【発明の開示】
【発明が解決しようとする課題】
【０００３】
上記したＴＶチャットシステムによれば、視聴者の負担を軽減しながら質問や回答を含むコミュニケーションをリアルタイムに実現できるが、そのために専用のテレビあるいは端末装置が必要となる。
【０００４】
本発明は上記事情に基づいてなされたものであり、視聴者に負担を要することなく番組に対する質問が可能であり、その回答を迅速に得るために専用のテレビを使用することなく安価に実現可能な、放送コンテンツ作成装置およびその方法、ならびにプログラム、記録媒体、放送メッセージ交換システムおよびその方法を提供することを目的とする。
【課題を解決するための手段】
【０００５】
上記した課題を解決するために本発明の一実施形態は、番組を放送する放送システムと通信ネットワークを介して接続される放送コンテンツ作成装置であって、前記放送システムによる番組放映中、視聴者から携帯電話端末を用いた質問メッセージを受信し、当該質問メッセージを所定の回答者の情報端末に送信して回答メッセージを受信し、前記質問・回答メッセージの組を生成する放送用メッセージ作成管理部と、前記生成された質問・回答メッセージの組を、前記放送番組に合成して放送させるために前記放送システムへ送信する放送用メッセージ送信部と、を具備することを特徴とする。
【０００６】
また、本発明の一実施形態において、前記視聴者が所有する携帯電話端末を操作することにより生成されるチャンネル情報を受信するチャンネル情報受信部と、前記質問、回答を行う視聴者が所有する各携帯電話端末に対し、前記チャンネル情報に対応したメッセージ入力画面を送信するメッセージ入力画面情報送信部とを更に備え、前記放送用メッセージ作成管理部は、前記メッセージ入力画面を介して入力される質問、回答メッセージを受信して前記質問に対する回答メッセージを組立てる放送用メッセージを生成することを特徴とする。
【０００７】
また、本発明の一実施形態は、放映されている放送番組に対して発生する質問、回答メッセージ取り込み、放送用の映像に合成させるためのコンテンツを作成するコンテンツ作成装置と通信ネットワークを介して接続される携帯電話端末であって、視聴者からのチャンネル指示を受付け、テレビ受像機に対してそのチャンネル用信号を出力するとともに、そのチャンネル情報を前記放送メッセージ作成装置へ送信するチャンネル情報送信部と、前記放送メッセージ作成装置が前記チャンネル情報に基づき生成するメッセージ入力画面情報を受信し、質問に必要なメッセージを取り込み、前記放送メッセージ作成装置にメッセージ送信するメッセージ送信部と、を具備することを特徴とする。
【０００８】
また、本発明の一実施形態は、放映されている放送番組に対して発生する質問、回答のメッセージを交換する放送メッセージ交換システムであって、視聴者からのチャンネル指示を受付け、テレビ受像機に対してそのチャンネル用信号を出力するとともに、そのチャンネル情報をメッセージ作成装置へ送信する視聴者の携帯電話端末と、前記携帯電話端末とは通信ネットワークを介して接続され、番組放映中、視聴者から前記携帯電話端末による質問メッセージを受信し、当該メッセージを所定の回答者の情報端末に送信して回答メッセージを受信し、前記質問・回答メッセージの組を作成して放送システムに送信する放送メッセージ作成装置と、前記放映されている放送番組に、前記放送メッセージ作成装置から受信した前記質問・回答メッセージの組を合成して放送する前記放送システムと、を具備することを特徴とする。
【０００９】
また、本発明の一実施形態において、放映されている放送番組に対して発生する質問、回答メッセージを交換する放送メッセージ交換方法であって、前記携帯電話端末により視聴者からのチャンネル指示を受付け、そのチャンネル情報を前記携帯電話端末とは通信ネットワークを介して接続されるメッセージ作成装置へ送信するステップと、番組放映中、視聴者から前記携帯電話端末による質問メッセージを受信し、当該メッセージを所定の回答者の情報端末に送信して回答メッセージを受信するステップと、前記質問・回答メッセージの組を作成して放送装置に送信するステップと、前記放映されている放送番組に、前記メッセージ作成装置から受信した前記質問・回答メッセージの組を合成して放送するステップと、を有することを特徴とする。
【００１０】
また、本発明の一実施形態において、放送システムによって放映されている放送番組に対して発生する質問、回答メッセージを取り込み、放送用の映像に合成させるためのコンテンツを生成する放送コンテンツ作成方法であって、番組放映中、視聴者から携帯電話端末による質問メッセージを受信し、当該メッセージを所定の回答者の情報端末に送信して回答メッセージを得、前記質問・回答メッセージの組を生成するステップと、前記生成された質問・回答メッセージの組を、前記放送番組に合成して放送させるために前記放送システムへ送信するステップと、を有することを特徴とする。
【００１１】
また、本発明の一実施形態において、番組を放映する放送システムと通信ネットワークを介して接続される放送コンテンツ作成装置に用いられるプログラムであって、番組放映中、視聴者から携帯電話端末による質問メッセージを受信し、当該メッセージを所定の回答者の情報端末に送信して回答メッセージを得、前記質問・回答メッセージの組を生成する処理と、前記生成された質問・回答メッセージの組を、前記放送番組に合成して放送させるために前記放送システムへ送信する処理と、をコンピュータに実行させることを特徴とする。
【００１２】
また、本発明の一実施形態において、番組を放映する放送システムと通信ネットワークを介して接続される放送コンテンツ作成装置に用いられるプログラムを記録したコンピュータ読み取り可能な記録媒体であって、番組放映中、視聴者から携帯電話端末による質問メッセージを受信し、当該メッセージを所定の回答者の情報端末に送信して回答メッセージを得、前記質問・回答メッセージの組を生成する処理と、前記生成された質問・回答メッセージの組を、前記放送番組に合成して放送させるために前記放送システムへ送信する処理と、をコンピュータに実行させるプログラムを記録したことを特徴とする。
【発明の効果】
【００１３】
本発明によれば、視聴者に負担を要することなく番組に対する質問が可能であり、その回答を迅速に得るために専用のテレビを使用することなく安価に実現可能となる。また、質問と回答の組がＴＶ受像機にセットで表示されるため、複数の視聴者が同じ質問を行うことが回避でき、多数の視聴者に満足度の高い番組を提供することができる。
【発明を実施するための最良の形態】
【００１４】
図１は、本発明の一実施形態に係わる放送メッセージ交換システムのシステム構成を説明するために引用した図である。
図１において、符号１は、番組を視聴しながら、質問、あるいは回答を行う視聴者が所持するそれぞれの携帯電話端末であり、いずれも赤外線によるチャンネルリモコン機能を持つ。携帯電話端末１が持つチャンネルリモコン機能については、例えば、特開２００３−７８９７７号公報により周知である。
ここでは、携帯電話端末１は、視聴者からのチャンネル指示を受付け、ＴＶ受像機２に対してそのチャンネル用信号を出力するとともに、そのチャンネル情報を後述するコンテンツサーバ３へ送信する機能を持つ。
【００１５】
符号３は、コンテンツプロバイダが管理する放送コンテンツ作成装置としてのコンテンツサーバであり、番組放映中、視聴者から携帯電話端末１による質問メッセージを受信し、当該メッセージを他の視聴者が持つ携帯電話端末１に送信して回答メッセージを受信し、質問・回答メッセージの組を作成して後述する放送システム４に送信する機能を持つ。このため、コンテンツサーバ３は、ＩＰ（Internet Protocol）網５ならびに携帯電話網６、そして、基地局７経由で各携帯電話端末１に接続される。
放送システム４は、放送局に設置され、放送番組を地上波等により家庭内のＴＶ受像機２に放映する。このとき、放映されている放送番組に、コンテンツサーバ３から受信した質問・回答メッセージの組を合成して放送する。放送システム４は、また、ＩＰ網５を介してコンテンツサーバ３に接続され、コンテンツサーバ３から質問・回答メッセージが送信される。
【００１６】
図２は、図１に示すコンテンツサーバ３の内部構成を機能展開して示したブロック図である。
コンテンツサーバ３は、チャンネル（ＣＨ）情報受信部３１と、メッセージ入力画面情報送信部３２と、メッセージ受信部３３と、放送用メッセージ作成管理部３４と、放送用メッセージ送信部３５と、質問−回答ログデータベース（ＤＢ）３６で構成される。
【００１７】
ＣＨ情報受信部３１は、視聴者が所有する携帯電話端末１を操作することにより生成されるチャンネル情報を受信する機能を持つ。また、メッセージ入力画面情報送信部３２は、質問、回答を行う視聴者が所有する各携帯電話端末１に対し、ＣＨ情報に対応したメッセージ入力画面情報を送信する機能を持つ。
一方、メッセージ受信部３３は、放送システム４による番組放映中、視聴者から携帯電話端末１を用いた質問メッセージを受信し、また、当該質問メッセージを他の視聴者の携帯電話端末１に送信することにより得られる回答メッセージを受信して放送用メッセージ作成管理部３４へ供給する。放送用メッセージ作成管理部３４は、メッセージ入力画面を介して入力される質問、回答メッセージを受信し、例えば、質問に対して付与されるＩＤを管理して、質問に対する回答メッセージを組立て、放送用メッセージ送信部３５へ供給する機能を持つ。
【００１８】
また、放送用メッセージ送信部３５は、放送用メッセージ作成管理部３４により生成される質問・回答メッセージの組を、放送番組に合成して放送させるために放送システム４へ送信する機能を持つ。放送用メッセージ作成管理部３４により生成される、あるいは放送用メッセージ送信部３５により送信される質問−回答メッセージの組みは、質問−回答ログＤＢ（３６）に格納される。
【００１９】
図３は、図１に示す放送システム４の内部構成を機能展開して示したブロック図である。ここでは、本発明実施形態と関係する機能ブロックのみ抽出して示してある。
放送システム４は、放送用の映像を生成する放送用映像生成部４１と、コンテンツサーバ３により送信される放送用メッセージを受信する放送用メッセージ受信部４２と、放送用の映像と放送用メッセージを合成して放映する映像合成放映部４３で構成される。
【００２０】
図４は、本発明実施形態に係わる携帯電話端末１の内部構成を機能展開して示したブロック図である。
携帯電話端末１は、ＣＨ情報送信部１１と、メッセージ入力画面受信部１２と、メッセージ生成部１３と、メッセージ送信部１４で構成される。
ＣＨ情報送信部１１は、視聴者からのチャンネル指示を受付け、ＴＶ受像機２に対してそのチャンネル用信号を出力するとともに、そのチャンネル情報をコンテンツサーバ３へ送信する機能を持つ。また、メッセージ送信部１４は、チャンネル対応メッセージ入力画面情報を介して質問、もしくは回答に必要なメッセージを取り込み、コンテンツサーバ３にメッセージを送信する機能を持つ。
このとき、メッセージ入力画面受信部１２は、コンテンツサーバ３により送信されるチャンネル対応メッセージ入力画面情報を受信する。また、メッセージ生成部１３は、チャンネル対応メッセージ入力画面に従い視聴者によって入力されるメッセージを取り込みメッセージ送信部１４へ供給する。
【００２１】
図５は、本発明実施形態に係わる放送メッセージ交換システムの動作シーケンスを示す図である。ここでは、質問、回答を行う視聴者が所有するそれぞれの携帯電話端末１、コンテンツサーバ３、放送システム４の関係が示されている。
図５において、まず、視聴者は、所持する携帯電話端末１を操作することによってチャンネル指定を行い、コンテンツサーバ３へチャンネル情報を送信する（Ｓ５１）。これを受けたコンテンツサーバ３は、その携帯電話端末１に対し、受信したチャンネルに対応する放送局用の質問メッセージ入力画面情報を送信する（Ｓ５２）。この質問メッセージ入力画面情報を受信した視聴者が、以降、視聴中の番組に対して関連する質問を発することができる。
【００２２】
視聴者は、番組に関連した疑問や質問が発生したとき、携帯電話端末１を操作して質問メッセージ入力画面に質問メッセージを打ち込み、質問メーセージを送信する（Ｓ５３）。これを受信したコンテンツサーバ３は、先生等、あらかじめ待機させている回答者の携帯電話端末１に対して回答メッセージ入力画面情報を送信する（Ｓ５４）。これを受信した回答者となる視聴者は、所有する携帯電話端末１を操作して回答メッセージを打ち込み、回答メッセージを送信する（Ｓ５５）。
コンテンツサーバ３は、順序制御を行って質問に対する回答メッセージを組立て、放送システム４へ送信して映像との合成表示を促す（Ｓ５６）。放送システム４は、現在放送している番組の映像に、コンテンツサーバ３から受信した質問と回答の組から成るメッセージを合成して放送を行う（Ｓ５７）。
【００２３】
このため、質問、回答を行った視聴者を含む不特定多数の視聴者が視聴しているＴＶ受像機２に先の質問回答メッセージが合成された映像が表示される。図８に、そのときにＴＶ受像機２に放映される画面構成の一例が示されている。
図８に示されるように、画面下部に質問回答の組が本来の映像部分と合成され表示されている。従って、視聴者は、質問に対する回答が迅速に得られる他に、コンテンツサーバ３側では、同じような質問を持つ視聴者から重複した質問が発せられる事態を回避でき、そのための回線混雑の緩和にも寄与する。
【００２４】
図６に、本発明実施形態に係わるコンテンツサーバ３の動作の流れが、図７に本発明実施形態に係わる携帯電話端末１の動作の流れがそれぞれフローチャートで示されている。なお、図６に示すフローチャートは、本発明実施形態に係わるプログラムの処理手順も示している。
以下、図６、図７に示すフローチャートを参照しながら図５に示す動作シーケンス図の詳細について説明する。
【００２５】
まず、コンテンツサーバ３は、携帯電話端末１からチャンネル情報を受信する（図６、Ｓ６１）。チャンネル情報は、視聴者が携帯電話端末１を操作することによってアプリケーションを起動し（図７、Ｓ７１）、チャンネル指定を行うことで出力される。この場合、ＴＶ受像機２に対してチャンネル指定信号が出力され（Ｓ７２、Ｓ７３）、また、そのときのチャンネル情報がＣＨ情報送信部１１を介して送信され（Ｓ７４）、コンテンツサーバ３のＣＨ情報受信部３１で受信される。
チャンネル情報を受信したコンテンツサーバ３は、メッセージ入力画面情報送信部３２を起動して、受信したチャンネル情報に対応する放送局用のメッセージ入力画面情報を要求のあった携帯電話端末１へ送信する（図６、Ｓ６２）。メッセージ入力画面情報を受信した携帯電話端末１では（図７、Ｓ７５）、視聴者がそのメッセージ入力画面を用いて質問事項を打ち込むことで、メッセージ送信部１４を介して入力された質問メッセージを送信することができる（Ｓ７６）。
【００２６】
メッセージ受信部３３で携帯電話端末１からの質問メッセージを受信したコンテンツサーバ３は、放送用メッセージ作成管理部３４でその質問メッセージに対してユニークなＩＤを付与して管理し、あらかじめ決められた回答者が所持する携帯電話端末１に対し、メッセージ入力画面情報送信部３２を介しその質問と当該質問に対する回答メッセージ入力画面情報を共に送信する（Ｓ６４）。
回答者は、所持する携帯端末１に表示されたメッセージ入力画面に対して回答メッセージを打ち込み、このとき携帯電話端末１は、メッセージ送信部１４を介して生成された回答メッセージをコンテンツサーバ３へ送信する。回答メッセージをメッセージ受信部３３で受信したコンテンツサーバ３は（Ｓ６５）、放送用メッセージ作成管理部３４で先に付与したＩＤに基づき質問−回答メッセージを組立てて放送用メッセージを生成し（Ｓ６６）、放送用メッセージ送信部３５を介して放送システム４へ送信する（Ｓ６７）。
なお、このとき、質問−回答の組は質問−回答ログＤＢ（３６）に保存される。
【００２７】
放送用メッセージを、コンテンツサーバ３を介して受信した放送システム４では、映像合成放映部４３により、放送用メッセージ受信部４２を介して受信した放送用メッセージと、放送用映像生成部４１により生成される放送用の映像とを合成して不特定多数のＴＶ受像機２に放映する。
なお、上記した携帯電話端末１による処理は、視聴者が携帯電話端末１に内蔵されたアプリケーションを終了し、もしくは電源を切らない限り継続される（図７、Ｓ７７）。
【００２８】
以上説明のように、本発明によれば、チャンネルリモコン機能を持つ携帯電話端末１によりチャンネルの指定が行われると、ＴＶ受像機２のチャンネルが変更される他に、内蔵のアプリケーションによりそのチャンネル情報がコンテンツサーバ３に通知される。また、携帯電話端末１は、コンテンツサーバ３から当該チャンネル用のメッセージ入力画面情報を受信して表示し、このことにより、質問メッセージを入力することができる。
そして、コンテンツサーバ３に放送中の番組に関連してなされる質問メッセージが送信されると、コンテンツサーバ３は、この質問メッセージを回答者に送信するとともに、回答者の携帯電話端末１から回答メッセージを取り込み、先の質問と回答のメッセージの組から成る放送用メッセージを生成する。そして、放送システム４にこの放送メッセージを送信して本来の映像と合成して放映させる。このことにより、視聴者はＴＶ受像機２を見ることで質問に対する回答が得られ、また、複数の視聴者が同時に見ることができるため、同じ質問を持つ視聴者が質問する手間が省け、かつ、回線の有効利用もはかれる。
なお、上記実施の形態では、回答者の情報端末の例として、携帯電話端末1を例示したが、本発明はこれに限られず、例えば、パーソナルコンピュータなどの他の情報端末であってもよい。
【００２９】
なお、図２に示すＣＨ情報受信部３１、メッセージ入力画面情報送信部３２、メッセージ受信部３３、放送用メッセージ作成管理部３４、放送用メッセージ送信部３５、そして、図４に示すＣＨ情報送信部１１、メッセージ入力画面受信部１２、メッセージ生成部１３、メッセージ送信部１４のそれぞれで実行される手順を含むプログラムをコンピュータ読み取り可能な記録媒体に記録し、この記録媒体に記録されたプログラムをコンピュータシステムに読み込ませ、実行することにより、それぞれ本発明の放送コンテンツ作成装置ならびに携帯電話端末を実現することができる。ここでいうコンピュータシステムとは、ＯＳや周辺機器等のハードウェアを含む。
【００３０】
また、「コンピュータシステム」は、ＷＷＷシステムを利用している場合であれば、ホームページ提供環境（あるいは表示環境）も含むものとしても良い。
また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３２】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３３】
【図１】本発明の一実施形態に係わる放送メッセージ交換システムのシステム構成を説明するために引用した図である。
【図２】図１に示すコンテンツサーバ３の内部構成を機能展開して示したブロック図である。
【図３】図１に示す放送システム４の内部構成を機能展開して示したブロック図である。
【図４】図１に示す携帯電話端末１の内部構成を機能展開して示したブロック図である。
【図５】本発明実施形態に係わる放送メッセージ交換システムの動作シーケンスを示す図である。
【図６】本発明実施形態に係わる放送メッージ作成装置の動作を説明するために引用したフローチャートである。
【図７】本発明実施形態に係わる携帯電話端末の動作を説明するために引用したフローチャートである。
【図８】本発明実施形態に係わるＴＶ受像機への放映内容の一例を示す図である。
【符号の説明】
【００３４】
１…携帯電話端末、２…ＴＶ受像機、３…コンテンツサーバ（視聴情報提供装置）、４…放送システム、５…ＩＰ網、６…携帯電話網、７…基地局、１１…ＣＨ情報送信部、１２…メッセージ入力画面受信部、１３…メッセージ生成部、１４…メッセージ送信部、３１…ＣＨ情報受信部、３２…メッセージ入力画面情報送信部、３３…メッセージ受信部、３４…放送用メッセージ作成管理部、３５…放送用メッセージ送信部
【図１】
2005333366.tif 000003
【図２】
2005333366.tif 000004
【図３】
2005333366.tif 000005
【図４】
2005333366.tif 000006
【図５】
2005333366.tif 000007
【図６】
2005333366.tif 000008
【図７】
2005333366.tif 000009
【図８】
2005333366.tif 000010